(57)【特許請求の範囲】
【請求項１】
放射性セシウム濃度が１００００Ｂｑ／ｋｇ以下の放射性瓦礫等の廃棄物である低レベル放射性廃棄物をガス化溶融炉に装入して還元雰囲気下で前記低レベル放射性廃棄物を８００℃以上２０００℃未満で加熱することにより、前記低レベル放射性廃棄物に付着している放射性物質と前記低レベル放射性廃棄物に含まれる塩素分とを反応させ、ガス化した放射性塩化物を生成する工程と、前記ガス化溶融炉から排出された前記放射性塩化物を含む可燃性ガスを冷却する工程と、前記可燃性ガスを除塵装置Ａに導入し、前記放射性塩化物を含む放射性飛灰を該除塵装置Ａで捕集する工程とを備えることを特徴とする低レベル放射性廃棄物の減容処理方法。
【請求項２】
放射性セシウム濃度が１００００Ｂｑ／ｋｇ以下の放射性瓦礫等の廃棄物である低レベル放射性廃棄物をガス化溶融炉に装入して還元雰囲気下で前記低レベル放射性廃棄物を８００℃以上２０００℃未満で加熱することにより、前記低レベル放射性廃棄物に付着している放射性物質と前記低レベル放射性廃棄物に含まれる塩素分とを反応させ、ガス化した放射性塩化物を生成する工程と、前記ガス化溶融炉から排出された前記放射性塩化物を含む可燃性ガスを燃焼室で燃焼させる工程と、前記燃焼室から排出された前記放射性塩化物を含む排ガスを冷却する工程と、前記排ガスを除塵装置Ｂに導入し、前記放射性塩化物を含む放射性飛灰を該除塵装置Ｂで捕集する工程とを備えることを特徴とする低レベル放射性廃棄物の減容処理方法。
【請求項３】
請求項１又は２記載の低レベル放射性廃棄物の減容処理方法において、捕集された前記放射性飛灰を洗浄水で洗浄し、前記放射性塩化物が溶解している前記洗浄水を水処理することにより放射性物質を回収することを特徴とする低レベル放射性廃棄物の減容処理方法。
【請求項４】
請求項２記載の低レベル放射性廃棄物の減容処理方法において、直列配置された第１の濾過式集塵機と第２の濾過式集塵機で前記除塵装置Ｂを構成し、前記第１の濾過式集塵機で前記放射性塩化物からなる放射性飛灰を捕集した後、前記放射性塩化物が除去された前記排ガスに中和剤を添加し、前記第２の濾過式集塵機で非放射性飛灰を捕集することを特徴とする低レベル放射性廃棄物の減容処理方法。
【請求項５】
請求項１〜４のいずれか１項に記載の低レベル放射性廃棄物の減容処理方法において、前記低レベル放射性廃棄物の貯留エリアを建屋で覆って該建屋内を負圧とすることを特徴とする低レベル放射性廃棄物の減容処理方法。
【請求項６】
請求項１、２、４のいずれか１項に記載の低レベル放射性廃棄物の減容処理方法において、前記放射性飛灰の貯留エリアを建屋で覆って該建屋内を負圧とすることを特徴とする低レベル放射性廃棄物の減容処理方法。
【発明の詳細な説明】
【技術分野】
【０００１】
本発明は、低レベル放射性廃棄物の減容処理方法に関する。
【背景技術】
【０００２】
２０１１年３月１１日の午後、太平洋三陸沖を震源とするマグニチュード９．０の海溝型地震（東北地方太平洋沖地震）が発生した。この巨大地震とその後に襲った大津波がきっかけとなって、福島県の太平洋岸に建設されている原子力発電所において多数の設備が損傷し、大量の放射性物質が大気中に放出された。これにより、放射能に汚染された瓦礫等の低レベル放射性廃棄物が大量に発生する事態に至っている。
【０００３】
環境省が公表した「福島県内の災害廃棄物の処理の方針」によれば、放射性物質に汚染されたおそれのある災害廃棄物であっても、安全に焼却処理を行うことが可能であり、焼却に伴って発生する主灰及び飛灰について安全な埋立処分が可能であるとされている。具体的には、放射性セシウム濃度（セシウム１３４とセシウム１３７の合計値）が８，０００Ｂｑ／ｋｇ以下である主灰は一般廃棄物最終処分場（管理型最終処分場）における埋立処分が可能であること、放射性セシウム濃度が８，０００Ｂｑ／ｋｇを超え１００，０００Ｂｑ／ｋｇ以下の焼却灰は、１）隔離層の設置による埋立て、２）長期間の耐久性のある容器による埋立て、３）屋根付き処分場での埋立てのいずれかの方法により一般廃棄物最終処分場で埋立処分を行うこととされている。
【０００４】
しかし、低レベル放射性廃棄物を焼却炉により焼却処理する方法では十分な減容効果が得られず、大量の放射性焼却灰を長期間に亘って管理しなければならない。そこで、特許文献１では、焼却処理後の放射性廃棄物（焼却灰）をマイクロ波を利用してレトルト内で溶融し、溶融した焼却灰をガラス形成材で覆って放射能を封じ込める技術が開示されている。
また、特許文献２には、不燃性放射性雑固体廃棄物と可燃性及び難燃性の放射性雑固体廃棄物とを分別した後、それぞれ溶融と酸化・分解に適するサイズと形態に前処理し、不燃性放射性雑固体廃棄物を一方の領域でプラズマ加熱により溶融し、可燃性及び難燃性の放射性雑固体廃棄物を他方の領域に溢流された溶融物上で酸化・分解し、次いで酸化・分解残渣と溶融物を一体にして排出し冷却固化して廃棄体を製作する技術が開示されている。
さらにまた、特許文献３には、有機物を含む放射性不燃性固体廃棄物を予加熱炉に装入し、付着した水分や有機物を金属の酸化抑制条件下で熱分解処理して除去したうえで、溶融炉で溶融処理する技術が開示されている。
【先行技術文献】
【特許文献】
【０００５】
【特許文献１】特開昭６２−１４８８９８号公報
【特許文献２】特開平９−９００９５号公報
【特許文献３】特開２００５−１６４３２０号公報
【発明の概要】
【発明が解決しようとする課題】
【０００６】
上記従来の溶融処理方法によれば、放射性廃棄物を溶融して固化体とするので、放射性焼却灰に比べて減容化を図ることができるが、放射性焼却灰に代わって放射性物質である固化体が大量に発生するため大幅な減容化は望めない。また、特許文献１〜３に記載された溶融処理方法の場合、溶融処理する前に、焼却処理や前処理あるいは予加熱処理などの前段処理が必要であり、固化体とするまでに手間が掛かるという問題もある。
【０００７】
本発明はかかる事情に鑑みてなされたもので、従来の溶融処理方法に比べて、さらなる減容化が可能で、しかも減容処理も容易な低レベル放射性廃棄物の減容処理方法を提供することを目的とする。
【課題を解決するための手段】
【０００８】
上記目的を達成するため、第１の発明に係る低レベル放射性廃棄物の減容処理方法は、放射性セシウム濃度が１００００Ｂｑ／ｋｇ以下の放射性瓦礫等の廃棄物である低レベル放射性廃棄物をガス化溶融炉に装入して還元雰囲気下で前記低レベル放射性廃棄物を８００℃以上２０００℃未満で加熱することにより、前記低レベル放射性廃棄物に付着している放射性物質と前記低レベル放射性廃棄物に含まれる塩素分とを反応させ、ガス化した放射性塩化物を生成する工程と、前記ガス化溶融炉から排出された前記放射性塩化物を含む可燃性ガスを冷却する工程と、前記可燃性ガスを除塵装置Ａに導入し、前記放射性塩化物を含む放射性飛灰を該除塵装置Ａで捕集する工程とを備えることを特徴としている。
【０００９】
また、第２の発明に係る低レベル放射性廃棄物の減容処理方法は、放射性セシウム濃度が１００００Ｂｑ／ｋｇ以下の放射性瓦礫等の廃棄物である低レベル放射性廃棄物をガス化溶融炉に装入して還元雰囲気下で前記低レベル放射性廃棄物を８００℃以上２０００℃未満で加熱することにより、前記低レベル放射性廃棄物に付着している放射性物質と前記低レベル放射性廃棄物に含まれる塩素分とを反応させ、ガス化した放射性塩化物を生成する工程と、前記ガス化溶融炉から排出された前記放射性塩化物を含む可燃性ガスを燃焼室で燃焼させる工程と、前記燃焼室から排出された前記放射性塩化物を含む排ガスを冷却する工程と、前記排ガスを除塵装置Ｂに導入し、前記放射性塩化物を含む放射性飛灰を該除塵装置Ｂで捕集する工程とを備えることを特徴としている。
【００１０】
ただし、放射性セシウム濃度はセシウム１３４とセシウム１３７の合計値であり、低レベル放射性廃棄物は放射能に汚染された土壌も含むものとする。
【００１１】
低レベル放射性廃棄物を溶融しただけでは、溶融したスラグに放射性物質が残留するため、十分な減容化を図ることができない。そこで、本発明者等は、スラグに比べて容積の小さな飛灰を管理対象とする発想を得、放射性物質をスラグから飛灰に移行させることで大幅な減容化を図ることとした。具体的には、放射性物質と低レベル放射性廃棄物に含まれる塩素分とを反応させ、生成した放射性塩化物をガス化させることにより、溶融したスラグから放射性物質を分離する。
【００１２】
低レベル放射性廃棄物に付着している放射性物質は反応性が高いため、還元雰囲気下で塩素分を含む低レベル放射性廃棄物を８００℃以上に加熱することにより、塩素分と反応して放射性塩化物となる。塩化物は沸点が低いため、生成した放射性塩化物はガス化し、溶融スラグから分離される。ガス化した放射性塩化物は、冷却して凝集させ、放射性飛灰として除塵装置Ａ、Ｂで捕集する。飛灰は主灰に比べて減容率が高いため、捕集した放射性飛灰をセメント固化することで、従来に比べて管理が容易になる。
なお、ガス化溶融炉における加熱温度が８００℃未満の場合、放射性飛灰への移行が不十分となる一方、加熱温度を２０００℃以上とすることは設備的に難しい。また、塩素分は、低レベル放射性廃棄物に含まれる塩素を活用する。
【００１３】
また、第１、第２の発明に係る低レベル放射性廃棄物の減容処理方法では、捕集された前記放射性飛灰を洗浄水で洗浄し、前記放射性塩化物が溶解している前記洗浄水を水処理することにより放射性物質を回収してもよい。
放射性塩化物は高い水溶性を有しているので、除塵装置Ａ、Ｂにより捕集された放射性飛灰を洗浄水で洗浄することで、放射性飛灰に含まれる放射性塩化物が洗浄水に溶解する。この洗浄水を水処理することにより、放射性物質と可燃性ダスト（チャー）を分離回収することができる。回収した可燃性ダストは、燃料として再利用することができる。
【００１４】
また、第２の発明に係る低レベル放射性廃棄物の減容処理方法では、前記除塵装置Ｂを、直列配置された第１の濾過式集塵機と第２の濾過式集塵機で構成し、前記第１の濾過式集塵機で前記放射性塩化物からなる放射性飛灰を捕集した後、前記放射性塩化物が除去された前記排ガスに中和剤を添加し、前記第２の濾過式集塵機で非放射性飛灰を捕集するようにしてもよい。
【００１５】
また、第１、第２の発明に係る低レベル放射性廃棄物の減容処理方法では、放射能を有する粉塵の飛散を防止するため、前記低レベル放射性廃棄物の貯留エリア及び／又は前記放射性飛灰の貯留エリアを建屋で覆って該建屋内を負圧とすることが好ましい。
【発明の効果】
【００１６】
本発明では、還元雰囲気下で塩素分を含む低レベル放射性廃棄物を８００℃以上２０００℃未満で加熱することにより、低レベル放射性廃棄物に付着している放射性物質が、ガス化した塩化物に移行する。ガス化した放射性塩化物は、減容率の高い放射性飛灰として捕集する。これにより、従来の溶融処理方法に比べて、さらなる減容化が図られ、放射性物質の管理が容易になると共に、除染されたスラグを有効利用することができる。
また、本発明では、ガス化溶融炉を還元炉として使用するので、従来の溶融処理における前段処理が不要となり、容易に減容処理を実施することができる。
【図面の簡単な説明】
【００１７】
【図１】本発明の第１の実施の形態に係る低レベル放射性廃棄物の減容処理方法を説明するためのプロセスフロー図である。
【図２】本発明の第２の実施の形態に係る低レベル放射性廃棄物の減容処理方法を説明するためのプロセスフロー図である。
【図３】本発明の第３の実施の形態に係る低レベル放射性廃棄物の減容処理方法を説明するためのプロセスフロー図である。
【図４】本発明の第４の実施の形態に係る低レベル放射性廃棄物の減容処理方法を説明するためのプロセスフロー図である。
【図５】本発明の第５の実施の形態に係る低レベル放射性廃棄物の減容処理方法を説明するためのプロセスフロー図である。
【図６】本発明の第６の実施の形態に係る低レベル放射性廃棄物の減容処理方法を説明するためのプロセスフロー図である。
【発明を実施するための形態】
【００１８】
続いて、添付した図面を参照しつつ、本発明を具体化した実施の形態に付き説明し、本発明の理解に供する。なお、ある実施の形態を構成する要素が、それより前に示した実施の形態において既に説明されている場合、既出の要素と同じ符号を当該要素に付し、当該要素の説明を省略する。
【００１９】
［第１の実施の形態］
図１を用いて、本発明の第１の実施の形態に係る低レベル放射性廃棄物の減容処理方法について説明する。還元炉として使用するガス化溶融炉１０はシャフト式のガス化溶融炉とする。シャフト炉を使用することで、様々な形状の低レベル放射性廃棄物Ｍの処理が可能となるだけでなく、シャフト炉の底部に還元剤の層が形成されるので、より強力な還元作用を得ることができる。
【００２０】
ガス化溶融炉１０では、低レベル放射性廃棄物Ｍと共に還元剤としてのコークス及び石灰石が炉上部から投入され、乾燥、熱分解、燃焼、及び溶融の過程を経て生成したスラグＳが炉底から排出される。低レベル放射性廃棄物Ｍと共に装入されたコークスは、炉下部に設けられた羽口から吹き込まれた酸素富化空気により高温燃焼し、炉下部に高温火格子を形成することにより、還元雰囲気の形成と低レベル放射性廃棄物Ｍの安定溶融に寄与している。酸素富化空気を利用することで高い温度を得ることができ、放射性塩化物の揮発率を高めることができる。
なお、コークスの投入量は、低レベル放射性廃棄物Ｍに対し１〜３０質量％、より好ましくは４〜１０質量％とし、低レベル放射性廃棄物Ｍの性状により調整する。
また、酸素富化空気の酸素濃度は２８〜４０％であることが好ましい。
【００２１】
ガス化溶融炉１０に装入した低レベル放射性廃棄物Ｍは、塩素分を含む還元雰囲気下で８００℃以上２０００℃未満で加熱される。これにより、低レベル放射性廃棄物Ｍに付着している放射性セシウム、放射性ヨウ素、放射性キセノンなどの放射性物質は、低レベル放射性廃棄物Ｍに含まれる塩素と化学反応をおこして放射性塩化物となる。放射性塩化物は沸点が低いためガス化し、溶融したスラグＳから分離される。スラグＳは放射能を帯びていない（管理レベル未満）ため有効利用が可能である。
【００２２】
ガス化した放射性塩化物は、可燃性ダスト（チャー）及び熱分解ガス（ＣＯ、Ｈ２、ＣＨ４、ＣＯ２等）と共に可燃性ガス（炉内ガス）としてガス化溶融炉１０上部に設けられた配管１１ａから排出される。配管１１ａの途中には噴霧装置１１が設置されており、ガス化溶融炉１０から排出された放射性塩化物を含む可燃性ガスは、噴霧装置１１によって８００℃以下に冷却される。可燃性ガスを８００℃以下に冷却することによって、ガス化した放射性塩化物が凝集する。
【００２３】
噴霧装置１１によって冷却された可燃性ガスは、サイクロン等の除塵装置Ａ１２に導入される。凝集した放射性塩化物は、除塵装置Ａ１２において、可燃性ダストと共に放射性飛灰Ｒとして捕集され、残部である非放射性可燃性ガスＧは、除塵装置Ａ１２の後段に設置されている燃焼室（図示省略）に送給される。
除塵装置Ａ１２によって捕集された放射性飛灰Ｒはセメント固化し安定的に管理することができる。
【００２４】
［第２の実施の形態］
図２を用いて、本発明の第２の実施の形態に係る低レベル放射性廃棄物の減容処理方法について説明する。第２の実施の形態では、除塵装置Ａ１２によって捕集された放射性飛灰Ｒを放射性物質Ｃと非放射性可燃性ダストＤに分離する処理が加わる点が第１の実施の形態と異なる。
【００２５】
除塵装置Ａ１２によって捕集された放射性飛灰Ｒは洗浄装置１６に導入される。洗浄装置１６では、放射性飛灰Ｒが洗浄水Ｗ１により洗浄される。放射性塩化物は高い水溶性を有するため、放射性飛灰Ｒを洗浄水Ｗ１で洗浄することにより、放射性飛灰Ｒに含まれる放射性塩化物は洗浄水Ｗ１に溶解し、非放射性可燃性ダストＤと分離される。非放射性可燃性ダストＤは燃料として利用することが可能であり、ガス化溶融炉１０に戻して燃料として利用した場合、低レベル放射性廃棄物Ｍが濃縮されることもない。なお、放射性飛灰Ｒに対する洗浄水Ｗ１の量は、質量比で１０〜５０倍であることが好ましい。また、洗浄時のｐＨは５〜６であることが好ましい。
【００２６】
放射性飛灰Ｒの洗浄に使用された洗浄水Ｗ１は水処理装置１７に送られる。水処理装置１７では、放射性塩化物が溶解している洗浄水Ｗ１を水処理して放射性物質Ｃとして回収する。水処理の方法としては、洗浄水Ｗ１を中和処理して複合塩とし、洗浄水Ｗ１への溶解度を低下させて凝集する方法や、キレートによって放射性物質Ｃを捕捉したうえで凝集沈殿させる方法、蒸発処理などを用いることができる。あるいは、活性炭やゼオライト等の吸着材を利用した回収も可能である。なお、中和処理後のｐＨは６〜８であることが好ましい。
水処理装置１７によって回収された放射性物質Ｃはセメント固化し安定的に管理することができる。
また、水処理装置１７によって除染された浄化水Ｗ２は、洗浄装置１６において洗浄水Ｗ１として再利用することができる。
【００２７】
［第３の実施の形態］
図３を用いて、本発明の第３の実施の形態に係る低レベル放射性廃棄物の減容処理方法について説明する。第３の実施の形態では、第１及び第２の実施の形態と異なり、ガス化溶融炉１０から排出された可燃性ガスは、噴霧装置１１及び除塵装置Ａ１２を経由せず、燃焼室１４に直接導入される。燃焼室１４に導入された可燃性ガスの内、可燃性ダスト及び熱分解ガスが燃焼室１４内において完全燃焼し、放射性塩化物を含む排ガスは燃焼室１４から排出される。
【００２８】
燃焼室１４から排出された放射性塩化物を含む排ガスは、ボイラ１５において熱回収されることにより冷却された後、濾過式集塵機等の除塵装置Ｂ１３に導入される。排ガスに含まれる放射性塩化物は、除塵装置Ｂ１３において放射性飛灰Ｒとして捕集され、残部である非放射性排ガスＥは、除塵装置Ｂ１３の後段に設置されている煙突（図示省略）から大気中に放出される。ボイラ１５による熱回収によって発生した蒸気は、蒸気タービン発電機その他の熱源として利用される。
なお、ボイラ１５の内部に付着した放射性飛灰Ｒは、槌打装置やスートブロワなどにより除去して回収する。
【００２９】
［第４の実施の形態］
図４を用いて、本発明の第４の実施の形態に係る低レベル放射性廃棄物の減容処理方法について説明する。第４の実施の形態では、第３の実施の形態における除塵装置Ｂ１３によって捕集された放射性飛灰Ｒを放射性物質Ｃと非放射性飛灰Ｈに分離するため、除塵装置Ｂ１３の後段に洗浄装置１６と水処理装置１７が設置されている。
洗浄装置１６に導入された放射性飛灰Ｒは、洗浄装置１６において洗浄水Ｗ１で洗浄され、非放射性飛灰Ｈが回収される。一方、洗浄水Ｗ１に溶解した放射性物質Ｃは、水処理装置１７において回収される。
【００３０】
［第５の実施の形態］
図５を用いて、本発明の第５の実施の形態に係る低レベル放射性廃棄物の減容処理方法について説明する。第５の実施の形態では、第３の実施の形態における除塵装置Ｂ１３が、直列配置された第１の濾過式集塵機１８と第２の濾過式集塵機１９から構成されている。
【００３１】
燃焼室１４から排出された放射性塩化物を含む排ガスは、ボイラ１５において熱回収されることにより冷却された後、第１の濾過式集塵機１８に導入される。その際、排ガス温度を８０℃以上２５０℃以下とすることにより、濾過式集塵機１８、１９内における結露や濾布の焼損を抑制することができる。
第１の濾過式集塵機１８において、放射性塩化物からなる放射性飛灰Ｔが排ガスから捕集され、放射性塩化物が除去された排ガスは、消石灰や苛性ソーダ等の中和剤Ｎが添加された後、第２の濾過式集塵機１９に導入される。第２の濾過式集塵機１９において、塩化カルシウム等が非放射性飛灰Ｈとして捕集され、残部である非放射性排ガスＥは煙突から大気中に放出される。なお、第１の濾過式集塵機１８に活性炭を吹き込むことで、放射性飛灰Ｔの捕集率を向上させることができる。
【００３２】
［第６の実施の形態］
図６を用いて、本発明の第６の実施の形態に係る低レベル放射性廃棄物の減容処理方法について説明する。第６の実施の形態では、第３の実施の形態における低レベル放射性廃棄物Ｍの貯留エリアを建屋２０で覆って気密にし、建屋２０外から吸引換気することで建屋２０内を負圧としている。
【００３３】
吸引換気した気体は、燃焼空気としてガス化溶融炉１０或いは燃焼室１４に供給される。これにより、吸引換気した気体中の放射性粉塵を、廃棄物として処理された放射性飛灰Ｒ、Ｔと併せて回収することができる。また、吸引換気した気体の一部を、活性炭やゼオライト等の多孔質な吸着物質からなる吸着層２１に送給することもできる。吸着層２１において、放射能を有する粉塵が捕捉され、除染された気体が大気Ａ中に放出される。
なお、使用した吸着物質は、セメント固化するか、あるいはガス化溶融炉１０に投入することで安全に管理することができる。
【００３４】
以上、本発明の実施の形態について説明してきたが、本発明は何ら上記した実施の形態に記載の構成に限定されるものではなく、特許請求の範囲に記載されている事項の範囲内で考えられるその他の実施の形態や変形例も含むものである。例えば、第６の実施の形態では、第３の実施の形態を例に採り、放射性粉塵の飛散防止技術について説明したが、他の実施の形態にも適用できることは言うまでもない。また、低レベル放射性廃棄物の貯留エリアのみでなく、放射性飛灰の貯留エリアを建屋で覆って該建屋内を負圧としても良い。
【符号の説明】
【００３５】
１０：ガス化溶融炉、１１ａ：配管、１１：噴霧装置、１２：除塵装置Ａ、１３：除塵装置Ｂ、１４：燃焼室、１５：ボイラ、１６：洗浄装置、１７：水処理装置、１８：第１の濾過式集塵機、１９：第２の濾過式集塵機、２０：建屋、２１：吸着層、Ａ：大気、Ｃ：放射性物質、Ｄ：非放射性可燃性ダスト、Ｅ：非放射性排ガス、Ｇ：非放射性可燃性ガス、Ｈ：非放射性飛灰、Ｍ：低レベル放射性廃棄物、Ｎ：中和剤、Ｒ、Ｔ：放射性飛灰、Ｓ：スラグ、Ｗ１：洗浄水、Ｗ２：浄化水
【図１】
0005767938.tif 000002
【図２】
0005767938.tif 000003
【図３】
0005767938.tif 000004
【図４】
0005767938.tif 000005
【図５】
0005767938.tif 000006
【図６】
0005767938.tif 000007